(57)【特許請求の範囲】
【請求項１】
顔マスク着用者へのおよび着用者からの１つまたは複数のヒト病原体の伝染を低減するのに使用される顔マスクであって、
ａ）前面と、裏面と、前面および裏面の周囲とを備え、顔マスクの着用者の口および鼻を覆う面体と、
ｂ）顔マスクを着用者の頭部に固定するために面体に取り付けられた１つまたは複数の延長部と
を備え、
面体が３つ以上の層を有する材料を含み、
３つ以上の層のうちの１つまたは複数が、１つまたは複数の結合物質を含む織物を備え、
１つまたは複数の結合物質と織物とが共有結合し、
１つまたは複数の結合物質が、ヒト病原体を結合物質に化学的に付着させるための１つまたは複数のヒト病原体結合基を含み、
ヒト病原体結合基が、硫酸基およびスルホン酸基からなる群から選択され
織物が、１つまたは複数の種類の多価の金属イオンまたは金属塩をさらに含み、
３つ以上の層のうちの１つまたは複数が、熱成形型織物を含み、
面体が、ほぼ半円の下側半分を備え、かつ横方向の頬延長部、および２つの頬延長部の間で着用者の鼻孔上方と鼻柱上とに延びる中央鼻柱延長部を有する上側半分を備える、
顔マスク。
【請求項２】
結合物質が、ＣＩ反応性青４、ＣＩ反応性青２１、ＣＩ反応性青１４０、ＣＩ反応性青１６３、ＣＩ反応性茶２３、ＣＩ反応性橙４、ＣＩ反応性赤１、ＣＩ反応性赤２、ＣＩ反応性赤６、ＣＩ反応性赤１１、ＣＩ反応性赤７８、ＣＩ反応性黄３９、およびＣＩ反応性黄８６からなる群より選択される１以上の反応染料である、請求項１に記載の顔マスク。
【請求項３】
織物が、多価の銅、多価の銀および多価の亜鉛からなる群より選択される１つまたは複数の種類の多価の金属イオンを含む、請求項１ないし２のいずれか一項に記載の顔マスク。
【請求項４】
織物が、酢酸銅、酸化銅、硫酸銅および酢酸亜鉛からなる群より選択される１つまたは複数の金属塩を含む、請求項１ないし３のいずれか一項に記載の顔マスク。
【請求項５】
１つまたは複数のヒト病原体が、ヒト疾患を引き起こす細菌、真菌およびウイルスからなる群より選択される、請求項４に記載の顔マスク。
【請求項６】
ヒト病原体が、ヒト気道感染症を引き起こす１つまたは複数のウイルスである、請求項４に記載の顔マスク。
【請求項７】
１つまたは複数のヒト病原体が、アデノ随伴ウイルス（ＡＡＶ）、単純ヘルペスウイルス（ＨＳＶ）、ヒトパピローマウイルス（ＨＰＶ）、インフルエンザウイルス、狂犬病ウイルスおよび呼吸器合胞体ウイルス（ＲＳＶ）からなる群より選択される、請求項４に記載の顔マスク。
【請求項８】
面体が複数の層を有する材料を含み、複数の層のうちの１つまたは複数が、１つまたは複数の結合物質を含む織物を備える、請求項４に記載の顔マスク。
【請求項９】
複数の層のうちの１つまたは複数が熱成形型織物を備える、請求項８に記載の顔マスク。
【請求項１０】
複数の層のうちの１つまたは複数が、ポリプロピレン、ポリエステルまたは酢酸セルロース不織布からなる群より選択される織物を備える、請求項８に記載の顔マスク。
【請求項１１】
複数の層のうちの１つまたは複数が、ポリプロピレンウェビングを含む、請求項８に記載の顔マスク。
【請求項１２】
複数の層が３つの層からなる、請求項８に記載の顔マスク。
【請求項１３】
複数の層が４つの層からなる、請求項８に記載の顔マスク。
【請求項１４】
１つまたは複数のヒト病原体の伝染を低減するのに使用される装置であって、１つまたは複数の結合物質を含む織物を備え、結合物質がヒト病原体を化学的に付着させるための１つまたは複数のヒト病原体結合基を含み、
当該装置は、空気フィルタ、衣服、寝具、化粧パッド、顔マスクまたは呼吸装置用のカバリング、おしめ、乾燥消毒パッチ、生理用ナプキン、便座カバー、掛け布、拭き取り布および窓おおいからなる群より選択され、
結合物質と織物とが共有結合し、
結合物質が、硫酸基およびスルホン酸基からなる群から選択されるヒト病原体結合基を含み、
織物が、１つまたは複数の種類の多価の金属イオンまたは金属塩をさらに含む、
装置。
【請求項１５】
結合物質が、ＣＩ反応性青４、ＣＩ反応性青２１、ＣＩ反応性青１４０、ＣＩ反応性青１６３、ＣＩ反応性茶２３、ＣＩ反応性橙４、ＣＩ反応性赤１、ＣＩ反応性赤２、ＣＩ反応性赤６、ＣＩ反応性赤１１、ＣＩ反応性赤７８、ＣＩ反応性黄３９、およびＣＩ反応性黄８６からなる群より選択される１以上の反応染料である、請求項１４に記載の装置。
【請求項１６】
１つまたは複数の種類の多価の金属イオンが、多価の銅、多価の銀および多価の亜鉛からなる群より選択される、請求項１４に記載の装置。
【請求項１７】
１つまたは複数の金属塩が、酢酸銅、酸化銅、硫酸銅および酢酸亜鉛からなる群より選択される、請求項１４に記載の装置。
【請求項１８】
複数の層を有する材料をさらに備え、複数の層のうちの１つまたは複数が、１つまたは複数の結合物質を含む、請求項１４または１５に記載の装置。
【請求項１９】
複数の層のうちの１つまたは複数が熱成形型織物を備える、請求項１８に記載の装置。
【請求項２０】
複数の層のうちの１つまたは複数が、ポリプロピレン、ポリエステルまたは酢酸セルロース不織布からなる群より選択される織物を備える、請求項１８に記載の装置。
【請求項２１】
複数の層のうちの１つまたは複数がポリプロピレンウェビングを含む、請求項１８に記載の装置。
【請求項２２】
複数の層が３つの層からなる、請求項１８に記載の装置。
【請求項２３】
複数の層が４つの層からなる、請求項１８に記載の装置。
【請求項２４】
１つまたは複数のヒト病原体の伝染を低減するのに使用される材料であって、複数の層を含み、
複数の層のうちの１つまたは複数が、１つまたは複数の結合物質を含む織物を備え、
結合物質と織物とが共有結合し、
結合物質が、硫酸基およびスルホン酸基からなる群から選択されるヒト病原体結合基を含み、
織物が、１つまたは複数の種類の多価の金属イオンまたは金属塩をさらに含む、
材料。
【請求項２５】
結合物質が、ＣＩ反応性青４、ＣＩ反応性青２１、ＣＩ反応性青１４０、ＣＩ反応性青１６３、ＣＩ反応性茶２３、ＣＩ反応性橙４、ＣＩ反応性赤１、ＣＩ反応性赤２、ＣＩ反応性赤６、ＣＩ反応性赤１１、ＣＩ反応性赤７８、ＣＩ反応性黄３９、およびＣＩ反応性黄８６からなる群より選択される１以上の反応染料である、請求項２４に記載の材料。
【請求項２６】
１つまたは複数の種類の多価の金属イオンが、多価の銅、多価の銀および多価の亜鉛からなる群より選択される、請求項２４に記載の材料。
【請求項２７】
１つまたは複数の金属塩が、酢酸銅、酸化銅、硫酸銅および酢酸亜鉛からなる群より選択される、請求項２４に記載の材料。
【請求項２８】
複数の層のうちの１つまたは複数が熱成形型織物を含む、請求項２４に記載の材料。
【請求項２９】
複数の層のうちの１つまたは複数が、ポリプロピレン、ポリエステルまたは酢酸セルロース不織布からなる群より選択される織物を備える、請求項２４に記載の材料。
【請求項３０】
複数の層のうちの１つまたは複数がポリプロピレンウェビングを含む、請求項２４に記載の材料。
【請求項３１】
複数の層が３つの層からなる、請求項２４に記載の材料。
【請求項３２】
複数の層が４つの層からなる、請求項２４に記載の材料。
【発明の詳細な説明】
【技術分野】
【０００１】
関連出願の相互参照
本出願は、２００８年５月３０日出願の、表題「Ｐｒｏｔｅｃｔｉｖｅ  Ｆａｂｒｉｃｓ  ａｎｄ  Ｍｅｔｈｏｄ  ｆｏｒ  Ｍａｋｉｎｇ  Ｐｒｏｔｅｃｔｉｖｅ  Ｆａｂｒｉｃｓ」である米国特許仮出願第６１／０５７，７４２号の優先権を主張し、また、２００７年６月２６日出願の、表題「Ｐｒｏｔｅｃｔｉｖｅ  Ｆａｂｒｉｃｓ  ａｎｄ  Ｍｅｔｈｏｄ  ｏｆ  Ｍａｋｉｎｇ  Ｐｒｏｔｅｃｔｉｖｅ  Ｆａｂｒｉｃｓ」である米国特許仮出願第６０／９４６，２６７号の優先権も主張し、これらの内容は、その全体が参照によって本開示内に組み込まれる。
【背景技術】
【０００２】
細菌、真菌およびウイルスなどのヒト病原体によって引き起こされるヒト気道感染症などの感染性ヒト疾患がさまざまに存在している。たとえば、感染性ヒト疾患（およびそれに随伴する疾患）の原因となるウイルスとしては、インフルエンザＡ型ウイルス（インフルエンザ）、インフルエンザＢ−Ｃ型ウイルス（鼻風邪、「感冒」）、ヒトアデノウイルスＡ−Ｃ型（さまざまな気道感染症、肺炎）、ヒトパラインフルエンザウイルス（鼻風邪、「感冒」、クループ）、おたふく風邪ウイルス（流行性耳下腺炎）、麻疹ウイルス（麻疹）、風疹ウイルス（三日ばしか）、ヒト呼吸器合胞体ウイルス（ＲＳＶ）（鼻風邪、「感冒」）、ヒトコロナウイルス（ＳＡＲＳウイルス）（ＳＡＲＳ）、ヒトライノウイルスＡ−Ｂ（鼻風邪、「感冒」）、パルボウイルスＢ１９（第５病）、天然痘ウイルス（天然痘）、水痘帯状疱疹ウイルス（ヘルペスウイルス）（水痘）、ヒトエンテロウイルス（鼻風邪、「感冒」）、百日咳菌（百日咳）、髄膜炎菌（髄膜炎）、ジフテリア菌（ジフテリア）、マイコプラズマ肺炎（肺炎）、ヒト型結核菌（結核）、化膿連鎖球菌／肺炎（連鎖球菌性咽頭炎、髄膜炎、肺炎）、およびヘモフィラスインフルエンザ菌Ｂ型（喉頭蓋、髄膜炎、肺炎）があげられる。
【０００３】
ヒトウイルス性気道感染症の多くは、かなりの罹患率および死亡率をもたらす。たとえば、インフルエンザウイルスの世界的な季節的流行は、毎年推定で約３００万〜５００万人を感染させ、毎年２５万〜５０万人を死に至らしめる。さらに、世界で約２０００万人を死に至らしめた１９１８年に発生したインフルエンザなど、周期的なインフルエンザウイルスの世界的流行が起こっている。
【０００４】
ヒト気道感染症を引き起こす１つまたは複数のヒト病原体の伝染様式は、主として直接的な皮膚と皮膚の接触によるものと考えられていたが、多くのヒト病原体はまた、咳またはくしゃみによって、あるいは単に呼気によって感染者の気道から排出された病原体を含んだ飛沫の空中浮遊伝染によっても広められることが示されている。
【０００５】
ヒト気道感染症を引き起こす一部のヒト病原体に対してワクチンが利用可能であり、ヒト病原体の一部に対して効果的な薬剤が開発されている。しかし、ワクチンは、緊急的な保護ではなく、ヒト病原体の伝染を減少させることができるまで抗体反応を発生させるには十分な時間を必要とする。さらに、伝染を減少させることができる効果的な薬剤は、ヒトウイルス性病原体のほとんどおよびヒト非ウイルス性病原体の一部に対しては利用可能でない。
【発明の概要】
【０００６】
したがって、疾患の中でもとりわけヒト気道感染症を引き起こす、１つまたは複数のヒト病原体の空中浮遊伝染を防止するための新規の方法が必要とされている。
【０００７】
本発明の１つの実施形態によれば、顔マスク着用者へのおよび着用者からの１つまたは複数のヒト病原体の伝染を低減するのに使用される顔マスクが提供される。１つの実施形態では、顔マスクは、ａ）前面と、裏面と、前面および裏面の周りの周囲とを備え、顔マスクの着用者の口および鼻を覆うように構成された面体と、ｂ）顔マスクを着用者の頭部に固定するために面体に取り付けられた１つまたは複数の延長部とを備え、面体が、３つ以上の層を含み、３つ以上の層のうちの１つまたは複数が、１つまたは複数の結合物質を含む織物を備え、１つまたは複数の結合物質が、ヒト病原体を結合物質に化学的に付着させるための１つまたは複数のヒト病原体結合基を含み、織物が、さらに、１つまたは複数の種類の多価の金属イオンまたは金属塩を含み、３つ以上の層のうちの１つまたは複数が、熱成形型織物を備える。１つの実施形態では、面体は、ほぼ半円の下側半分を備え、かつ横方向の頬延長部、および２つの頬延長部の間で着用者の鼻孔上方と鼻柱上とに延びる中央鼻柱延長部を有する上側半分を備える。
【０００８】
本発明の別の実施形態によれば、顔マスク着用者へのおよび着用者からの１つまたは複数のヒト病原体の伝染を低減するのに使用される顔マスクが提供される。１つの実施形態では、顔マスクは、ａ）前面と、裏面と、前面および裏面の周りの周囲とを備え、顔マスクの着用者の口および鼻を覆うように構成された面体と、ｂ）顔マスクを着用者の頭部に固定するために面体に取り付けられた１つまたは複数の延長部とを備え、面体が、ヒト病原体を結合物質に化学的に付着させるための１つまたは複数のヒト病原体結合基を含む１つまたは複数の結合物質を含む織物を備える。１つの実施形態では、１つまたは複数のヒト病原体は、ヒト疾患を引き起こす細菌、真菌およびウイルスからなる群より選択される。１つの実施形態では、ヒト病原体は、ヒト気道感染症を引き起こす１つまたは複数のウイルスである。１つの実施形態では、１つまたは複数のヒト病原体は、アデノ随伴ウイルス（ＡＡＶ）、単純ヘルペスウイルス（ＨＳＶ）、ヒトパピローマウイルス（ＨＰＶ）、インフルエンザウイルス、狂犬病ウイルスおよび呼吸器合胞体ウイルス（ＲＳＶ）からなる群より選択される。１つの実施形態では、織物は、さらに、１つまたは複数の種類の多価の金属イオンを含む。１つの実施形態では、１つまたは複数の種類の多価の金属イオンは、多価の銅、多価の銀および多価の亜鉛からなる群より選択される。１つの実施形態では、織物は、さらに、酢酸銅、酸化銅、硫酸銅および酢酸亜鉛からなる群より選択される１つまたは複数の金属塩を含む。１つの実施形態では、面体は複数の層を含み、複数の層のうちの１つまたは複数は、１つまたは複数の結合物質を含む織物を備える。１つの実施形態では、複数の層のうちの１つまたは複数は、熱成形型織物を備える。１つの実施形態では、複数の層のうちの１つまたは複数は、ポリプロピレン、ポリエステルまたは酢酸セルロース不織布からなる群より選択される織物を備える。１つの実施形態では、複数の層のうちの１つまたは複数は、ポリプロピレンウェビングを含む。１つの実施形態では、複数の層は３つの層を含む。１つの実施形態では、複数の層は４つの層を含む。１つの実施形態では、面体の周囲は、半円の下側半分と、着用者の鼻孔上方と鼻柱上とに延びる中央の鼻柱延長部を有する半円の上側半分とを備える。１つの実施形態では、面体は、ほぼ半円の下側半分を備え、かつ横方向の頬延長部、および２つの頬延長部の間で着用者の鼻孔上方と鼻柱上とに延びる中央鼻柱延長部を有する上側半分を備える。１つの実施形態では、面体は、前面に向かって凸状であることにより、顔マスクの着用者の顔の曲線への近似が向上している。１つの実施形態では、面体の周囲は、上縁と、底縁と、上縁と底縁とを連結する２つの横縁とを備え、面体は、さらに、一方の横縁から他方の横縁に延びる複数のひだを備え、このひだが面体の中央を拡張させて面体の前面に向かう凸形状を形成することにより、顔マスクの着用者の顔の曲線にさらに近づくことができる。１つの実施形態では、１つまたは複数の延長部は、ストラップ、耳ループおよび接着ストリップからなる群より選択される。
【０００９】
本発明の別の実施形態によれば、顔マスク着用者へのおよび着用者からの１つまたは複数のヒト病原体の伝染を低減するのに使用される顔マスクが提供される。顔マスクは、ａ）前面と、裏面と、周囲とを備え、顔マスクの着用者の口および鼻を覆うように構成された面体と、ｂ）１つまたは複数のヒト病原体に結合する１つまたは複数の結合物質を含む織物を備えた取り外し可能なフィルタと、ｃ）フィルタを保持するために面体に取り付けられた機構とを備える。
【００１０】
本発明の別の実施形態によれば、ガスマスクの着用者へのおよび着用者からの１つまたは複数のヒト病原体の伝染を低減するのに使用されるガスマスクが提供される。ガスマスクは、ａ）１つまたは複数のヒト病原体に結合する１つまたは複数の結合物質を含む織物を備えた取り外し可能なフィルタと、ｂ）フィルタを保持するために取り付けられた機構とを備える。１つの実施形態では、フィルタは、複数の層を含む材料を含み、複数の層のうちの１つまたは複数は、１つまたは複数のヒト病原体に結合する１つまたは複数の結合物質を含む織物を備える。
【００１１】
本発明の別の実施形態によれば、１つまたは複数のヒト病原体の伝染を低減するのに使用される装置が提供される。装置は、ヒト病原体を結合物質に化学的に付着させるための１つまたは複数のヒト病原体結合基を含む１つまたは複数の結合物質を含む織物を備え、装置は、空気フィルタ、衣類、寝具、化粧パッド、顔マスクまたは呼吸装置用のカバリング、おしめ、乾燥消毒パッチ、生理用ナプキン、便座カバー、掛け布、拭き取り布および窓おおいからなる群より選択される。１つの実施形態では、装置は、さらに複数の層を含み、複数の層のうちの１つまたは複数は、１つまたは複数の結合物質を含む織物を備える。１つの実施形態では、複数の層のうちの１つまたは複数は、熱成形型織物を含む。１つの実施形態では、複数の層の１つまたは複数は、ポリプロピレン、ポリエステルまたは酢酸セルロース不織布からなる群より選択される織物を備える。１つの実施形態では、複数の層のうちの１つまたは複数は、ポリプロピレンウェビングを含む。１つの実施形態では、複数の層は３つの層を含む。１つの実施形態では、複数の層は４つの層を含む。
【００１２】
本発明の別の実施形態によれば、顔マスクを作製するための方法が提供される。１つの実施形態では、方法は、ａ）ヒト病原体を結合物質に化学的に付着させるための１つまたは複数のヒト病原体結合基を含む１つまたは複数の結合物質を含む織物を提供するステップと、ｂ）織物を顔マスク内に組み込むステップとを含む。１つの実施形態では、顔マスクは、織物を備えた取り外し可能なフィルタを備える。方法は、取り外し可能なフィルタを顔マスク内に組み込むステップを含む。１つの実施形態では、方法は、さらに、結合物質を含む織物を複数枚の熱成形型織物の間に封入するまたはその間で取り囲むステップを含む。１つの実施形態では、方法は、さらに、複数枚の熱成形型織物を一緒に加熱する、または溶接するステップを含む。１つの実施形態では、方法は、さらに、１つまたは複数のヒト病原体の病原体能力を低減させる、結合物質以外の１つまたは複数の追加の物質を追加するステップを含む。１つの実施形態では、１つまたは複数の追加の物質は、多価の金属イオンまたは金属塩である。
【００１３】
本発明の別の実施形態によれば、１つまたは複数のヒト病原体の伝染を低減する方法が提供される。方法は、ａ）本発明による顔マスクを提供するステップと、ｂ）顔マスクを着用するステップとを含む。
【００１４】
本発明の別の実施形態によれば、１つまたは複数のヒト病原体の伝染を低減するのに使用される材料が提供される。材料は複数の層を含み、複数の層のうちの１つまたは複数は、１つまたは複数の結合物質を含む織物を備える。１つの実施形態では、複数の層のうちの１つまたは複数は、熱成形型織物を備える。１つの実施形態では、複数の層のうちの１つまたは複数は、ポリプロピレン、ポリエステルまたは酢酸セルロース不織布からなる群より選択される織物を備える。１つの実施形態では、複数の層のうちの１つまたは複数は、ポリプロピレンウェビングを含む。１つの実施形態では、複数の層は３つの層を含む。１つの実施形態では、複数の層は４つの層を含む。
【００１５】
本発明の上記および他の特徴、態様および利点は、以下の説明、付属の特許請求の範囲、および添付の図に関してより良好に理解されるであろう。
【図面の簡単な説明】
【００１６】
【図１】本発明による織物の部分的な前部の斜視図である。
【図２】図１に示す織物を備える、本発明による材料の部分的な断面の前部の斜視図である。
【図３】本発明の１つの実施形態による顔マスクの前面斜視図である。
【図４】図３に示す顔マスクの裏面斜視図である。
【図５】本発明の別の実施形態による顔マスクの前面斜視図である。
【図６】図５に示す顔マスクの裏面斜視図である。
【図７】本発明の別の実施形態による顔マスクの前面斜視図である。
【図８】図７に示す顔マスクの裏面斜視図である。
【図９】本発明による取り外し可能なフィルタを備える顔マスクの１つの実施形態の前面斜視図である。
【図１０】本発明による取り外し可能なフィルタを備える顔マスクの別の実施形態の前面斜視図である。
【発明を実施するための形態】
【００１７】
本発明によれば、１つまたは複数のヒト病原体の伝染を低減するのに使用される織物が提供される。本発明によれば、１つまたは複数のヒト病原体の伝染を低減するのに使用される材料が提供され、材料は複数の層を含み、複数の層のうちの１つまたは複数は、本発明による織物を備える。本発明の別の実施形態によれば、１つまたは複数のヒト病原体の伝染を低減するのに使用される織物を作製するための方法が提供される。１つの実施形態では、方法は、本発明による織物を作り出す。本発明の別の実施形態によれば、１つまたは複数のヒト病原体の伝染を低減するのに使用される材料を作製するための方法が提供される。１つの実施形態では、方法は、本発明による材料を作り出す。本発明の別の実施形態によれば、１つまたは複数のヒト病原体の伝染を低減するのに使用される装置が提供される。１つの実施形態では、装置は、本発明による織物を備える。１つの実施形態では、装置は、本発明による材料を含む。好ましい実施形態では、装置は、顔マスク着用者へのおよび着用者からの１つまたは複数のヒト病原体の伝染を低減するための顔マスクである。本発明の別の実施形態によれば、１つまたは複数のヒト病原体の伝染を低減するのに使用される装置を作製するための方法が提供される。１つの実施形態では、方法は、本発明による装置を作り出す。本発明の別の実施形態によれば、１つまたは複数のヒト病原体の伝染を低減する方法が提供される。１つの実施形態では、方法は、本発明による顔マスクなどの本発明による装置を提供するステップを含む。次に、織物、材料、装置および方法をより詳細に開示する。
【００１８】
本開示では、その内容が別途要求しない限り、用語「備える」、ならびに「備えている」、「備える」、および「備えた」などの用語の変形は、他の付加物、構成要素、整数またはステップを除外することを意図しないものとする。
【００１９】
本開示に指定されたすべての寸法は、例示的にすぎず、限定を意図するものではない。本開示を参照して当業者に理解されるように、本開示に開示した任意の装置または装置の一部の正確な寸法は、その使用目的によって決定される。
【００２０】
本開示では、「ヒト病原体」は、ヒト気道感染症を引き起こす細菌、真菌およびウイルスを含めた、ヒト疾患を引き起こす細菌、真菌およびウイルスを含む。
【００２１】
本開示では、「結合物質」は、ヒト病原体の空間的通過に対する物的障壁だけを提示するのではなく、ヒト病原体に化学的に結合する化学基を意味する。同様に、「結合する」ならびに「結合する」、「結合している」および「結合作用」などのその関連用語は、化学プロセスに言及するものであり、単にヒト病原体の空間的通過に対する物的障壁だけを提示するものではない。
【００２２】
本開示では、「セルロースの」は、「セルロースを含んでいる」ことを意味する。
【００２３】
本発明によれば、ヒト病原体の伝染を低減するのに使用される織物が提供される。１つの実施形態では、織物は、１つまたは複数の種類のヒト病原体に結合する１つまたは複数の結合物質を含む。好ましい実施形態では、織物は、インフルエンザなどのヒト気道感染症を引き起こすインフルエンザウイルスなどの１つまたは複数の種類のウイルスに結合する１つまたは複数の結合物質を含む。ヒト病原体を織物に結合させることにより、織物は、たとえばウイルスを含んだ飛沫が織物内で蒸発する際のウイルス粒子の放出を防止することなどにより、ヒト病原体の伝染を低減する。
【００２４】
１つまたは複数の結合物質は、本開示を参照する当業者であれば理解するように、ヒト病原体を結合物質に化学的に付着させるための１つまたは複数のヒト病原体結合基を含む。好ましい実施形態では、結合物質は、さらに、結合物質を織物に付着させるための（たとえばビニルスルホン基などの）リンカー基を含む。
【００２５】
例として、１つの実施形態では、織物に結合されるヒト病原体は、アデノ随伴ウイルス（ＡＡＶ）、単純ヘルペスウイルス（ＨＳＶ）、ヒトパピローマウイルス（ＨＰＶ）、インフルエンザウイルス、狂犬病ウイルス、呼吸器合胞体ウイルス（ＲＳＶ）からなる群より選択され、これらのウイルス粒子は、ヒト細胞の細胞膜の表面オリゴ糖上の末端シアル酸基を介してヒト細胞に結合するため、ヒト病原体結合基はシアル酸基である。しかし、シアル酸基は、繊維または織物への付着に適した形態で作り出すのには相対的にコストがかかるので、好ましい実施形態では、結合物質は、インフルエンザウイルス上のシアル酸基の結合作用を模倣するが、本発明による結合物質を含む織物の工業規模の生産用の構成要素としてコスト効果の高い物質である。
【００２６】
本発明の１つの実施形態によれば、１つまたは複数の結合物質は、（たとえば硫酸化単糖または硫酸化オリゴ糖などの）硫酸基および（たとえばスルホン化単糖またはスルホン化オリゴ糖などの）スルホン酸基からなる群より選択されるヒト病原体結合基を含むが、その理由は、硫酸基およびスルホン酸基の両方は、アデノ随伴ウイルス（ＡＡＶ）、単純ヘルペスウイルス（ＨＳＶ）、ヒトパピローマウイルス（ＨＰＶ）、インフルエンザウイルス、狂犬病ウイルス、呼吸器合胞体ウイルス（ＲＳＶ）ならびに他のヒト病原体においてシアル酸基の結合作用を模倣する一方で、硫酸基およびスルホン酸基は、本発明による織物の工業規模の生産のためのコスト効果の高い方法で繊維または織物上で遊離ヒドロキシル基および遊離アミノ基に直接つながることができるためである。好ましい実施形態では、織物はセルロース織物であり（すなわちセルロースを含み）、１つまたは複数の結合物質は、硫酸基を含むヒト病原体結合基を含むことで、非ハイドロゲル硫酸セルロースを含む織物が生じる。
【００２７】
本発明の別の実施形態によれば、ヒト病原体の結合基は、１つまたは複数のスルホン酸基を含む１つまたは複数の反応染料である。好ましい実施形態では、織物はセルロース織物であり（すなわちセルロースを含み）、結合物質は、スルホン酸基を含む結合物質を含む１つまたは複数の反応染料であることで、スルホン酸セルロースを含む織物が生じる。
【００２８】
反応染料は、繊維および織物、すなわち（アセテート、綿およびレーヨンなどの）セルロース繊維およびセルロース織物、ならびに（ウールおよびナイロン、およびポリエステルまたはポリオレフィンから作製された織物などの）非セルロース繊維および非セルロース織物の両方を染色するために使用される物質のクラスである。反応染料は、染浴中で繊維に施与されると、繊維または織物上でヒドロキシル基との共有化学結合を形成する、たいていはハロヘテロ環または活性化二重結合である反応性リンカー基を含む。反応染料は、染料を繊維または織物に付着させるリンカー基のカテゴリに応じて分類される。１つの実施形態では、結合物質は、アミノクロロトリアジン（ａｍｉｎｏｃｈｌｏｒｏｔｒｉａｚｉｎｅ）（Ｐｒｏｃｉｏｎ（登録商標）Ｈ）、アミノクロロトリアジン−サルフェートエチルスルホン（ｓｕｌｆａｔｏｅｔｈｙｌｓｕｌｆｏｎｅ）（Ｓｕｍａｆｉｘ  Ｓｕｐｒａ）、アミノフルオロトリアジン（ａｍｉｎｏｆｌｕｏｒｏｔｒｉａｚｉｎｅ）（Ｃｉｂａｃｈｒｏｎ  Ｆ）、アミノフルオロトリアジン−サルフェートエチルスルホン（Ｃｉｂａｃｒｏｎ  Ｃ）、ビス（アミノクロロトリアジン）（Ｐｒｏｃｉｏｎ（登録商標）Ｈ−Ｅ）ビス（アミノニコチノトリアジン）（ａｍｉｎｏｎｉｃｏｔｉｎｏｔｒｉａｚｉｎｅ）（Ｋａｙａｃｅｌｏｎ  Ｒｅａｃｔ（登録商標））、クロロジフルオロピリミジン（ｃｈｌｏｒｏｄｉｆｌｕｏｒｏｐｙｒｉｍｉｄｉｎｅ）（Ｄｒｉｍａｒｉｎｅ  Ｋ）、ジクロロキノキサリン（ｄｉｃｈｌｏｒｏｑｕｉｎｏｘａｌｉｎｅ）（Ｌｅｖａｆｉｘ（登録商標）Ｅ）、ジクロロトリアジン（Ｐｒｏｃｉｏｎ  ＭＸ）、サルフェートエチルスルホン（ビニルスルホン、Ｒｅｍａｚｏｌ（登録商標））、サルフェートエチルスルホンアミド（ｓｕｌｆａｔｏｅｔｈｙｌｓｕｌｆｏｎａｍｉｄｅ）（Ｒｅｍａｚｏｌ（登録商標）Ｄ）、トリクロロピリミジン（ｔｒｉｃｈｌｏｒｏｐｙｒｉｍｉｄｉｎｅ）（Ｄｒｉｍａｒｉｎｅ  Ｘ）からなる群より選択される１つまたは複数の反応染料である。反応染料は、さらに、染料に特有の色を与える発色団を含む。発色団は通常、多環芳香族基を含むが、多環芳香族基は、水溶性を低減させる傾向があるので、反応染料はたいてい、水溶性を増大させるために１つまたは複数のスルホン酸基をさらに含む。反応染料のスルホン酸基は、本発明の織物の結合物質のヒト病原体結合基として機能することができ、反応染料の反応性リンカー基は、結合物質のリンカー基として機能することができる。
【００２９】
所与の染料は、しばしば複数の商標名を有しているが、染料に対する一般名称（色素指数、ＣＩ）は、次の書式を含む：［カテゴリ（酸性、塩基性、直接性または反応性）；色；および番号］。本発明の１つの実施形態によれば、１つまたは複数の結合物質は、各々が、本発明による１つまたは複数のヒト病原体に結合するのに適したヒト病原体結合基として機能するスルホン酸基を含み、各々が、さらに、結合物質（染料）を織物に付着させるのに適したリンカー基を含む、ＣＩ反応性青４、ＣＩ反応性青２１、ＣＩ反応性青１４０、ＣＩ反応性青１６３、ＣＩ反応性茶２３、ＣＩ反応性橙４、ＣＩ反応性赤１、ＣＩ反応性赤２、ＣＩ反応性赤６、ＣＩ反応性赤１１、ＣＩ反応性赤７８、ＣＩ反応性黄３９、およびＣＩ反応性黄８６からなる群より選択される反応染料である。特定の好ましい実施形態では、結合物質は、ＣＩ反応性青２１（銅，（２９Ｈ、３１Ｈ−フタロシアニナト（２−）−Ｎ＼２９＼、Ｎ＼３０＼、Ｎ＼３１＼、Ｎ＼３２＼）−、スルホ（（４−（（２−スルホオキシ）エチル）スルホニル）フェニル）アミノ）スルホニル由来］（ＣＡＳ  Ｒｅｇ．Ｎｏ．７３０４９−９２−０）、セルロース繊維および織物を含めた繊維および織物に染料を付着させるビニルスルホンリンカー基を有するスルホン化銅フタロシアニン染料である。ＣＩ反応性青２１を付着させるための条件を含めた、反応染料を繊維および織物に付着させるための適切な反応条件は、当業者に良く知られており、本開示を参照する当業者であれば理解するように、染料製造者の説明書ならびに標準的な繊維製品の参考文献で見出すことができる。
【００３０】
本開示を参照する当業者であれば理解するように、結合物質は、織物を本発明による顔マスクの面体内に組み込む場合、その織物を非通気性にするものであってはならない。その理由は、本開示を参照する当業者であれば理解するように、そのような非通気性は顔マスクを機能させなくするからである。たとえば、ヒト病原体結合基が硫酸基である場合、硫酸セルロースハイドロゲルが顔マスクを通る空気を遮ることにより顔マスクを機能させなくするので、硫酸基は、織物内に硫酸セルロースハイドロゲルを形成してはならず、したがって、本発明による織物の成分に言及する際の用語「硫酸セルロース」およびその関連用語の使用は、硫酸セルロースハイドロゲルまたは顔マスクを通る空気の通過を遮って顔マスクを機能させなくする（すなわち着用者が顔マスクを通して十分な呼吸ができないようになる）非通気性のいかなる形態も含まない。本発明による織物において反応染料を結合物質として使用することは特に有利であるが、その理由は、織物と結合する反応染料の量が、反応染料内のスルホン酸基が織物内でハイドロゲルを作製するほどの十分な量では決してないためである。
【００３１】
本開示を参照する当業者であれば理解するように、硫酸セルロースおよびスルホン酸セルロースの両方は、界面活性剤特徴を有しており、その結果硫酸セルロースまたはスルホン酸セルロースを含む織物は、ウイルスを含んだ飛沫を崩壊させ、そのウイルス粒子を硫酸セルロース上の硫酸基に、およびスルホン酸セルロース上のスルホン酸基に晒し、それによってウイルス粒子を織物内に閉じ込める。
【００３２】
１つの実施形態では、本発明の織物は、さらに、１つまたは複数のヒト病原体の病原体能力を低減させる、結合物質および織物の繊維以外の１つまたは複数の追加の物質を含む。好ましい実施形態では、１つまたは複数の追加の物質は、そのすべてが殺ウイルス性、殺菌性、および抗菌性である、たとえば多価の銅、多価の銀または多価の亜鉛などの１つまたは複数の種類の多価の金属イオンである。好ましい実施形態では、金属塩は二価の金属塩である。別の実施形態では、１つまたは複数の物質は、そのすべてが殺菌性、殺ウイルス性、および抗菌性である、たとえば酸化銅、酢酸亜鉛、酢酸銅、または硫酸銅などの金属塩である。
【００３３】
本開示を参照する当業者であれば理解するように、セルロースを含む織物上で硫酸基またはスルホン酸基を含む結合物質を使用することは、インフルエンザウイルスおよび他のヒト病原体の伝染から多くの人々を保護するための本発明による顔マスクの工業規模の生産にとっては相対的に安価で、適切である。さらに、本発明による織物は、たとえば一部の顔マスクに使用される毒性の抗菌性化合物を置き換えることにより、また、ウイルス粒子が織物に接触した後、ウイルス粒子が織物から浸出しないようにウイルス粒子を織物内で結合させることにより、ヒトおよびペットのいずれに対しても安全なものになる。さらに有利には、本発明の織物は、１つまたは複数のヒト病原体の伝染を低減するように設計された一部の織物のように、１つまたは複数のヒト病原体の伝染を低減するための照明および一重項酸素の発生を必要としない。
【００３４】
１つの実施形態では、織物は、たとえば織布レーヨンなどの織ったものである。別の実施形態では、織物は、たとえば不織布レーヨンなどの織っていないものである。
【００３５】
本発明によれば、１つまたは複数のヒト病原体の伝染を低減するのに使用される材料が提供され、材料は複数の層を含み、複数の層のうちの１つまたは複数は、本発明による織物を備える。次に図１および図２を参照すると、本発明による織物の部分的な前部の斜視図（図１）および図１に示す織物を備える、本発明による材料の部分的な断面の前部の斜視図（図２）をそれぞれ示している。図に示すように、本発明による織物１０は、結合物質１２を含む。さらに、材料１４は、ここではＡ、ＢおよびＣで示された複数の層を含む。材料１４は、本開示を参照する当業者であれば理解するように、２つの層、（図示するように）３つの層、４つまたはそれ以上の層を含むことができる。特定の好ましい実施形態では、複数の層は（図示するように）３つの層である。別の特定の好ましい実施形態では、複数の層は４つの層である。
【００３６】
材料１４の層の少なくとも１つは、本発明による（ここでは層Ｂとして示す）織物１０を備える。１つの実施形態では、材料１４の層の１つまたは複数は、ポリプロピレン、ポリエステルおよび不織布の酢酸セルロース織物からなる群より選択される熱成形型織物などの熱成形型織物１６である。そのような熱成形型織物は、本発明による加熱または超音波溶接を用いた顔マスクの成形を可能にする。１つの実施形態では、熱成形型織物は、空中浮遊粒子を閉じ込めるが、ウイルスを含んだ飛沫がウェビング内に閉じ込められた場合でも通常は崩壊しないように相対的に撥水性のものであるポリプロピレンウェビングを含む。
【００３７】
本発明の別の実施形態によれば、たとえばヒト気道感染症を引き起こすウイルスなどの１つまたは複数のヒト病原体の伝染を低減するのに使用される織物を作製するための方法が提供される。１つの実施形態では、方法は、本発明による織物を作り出す。次に、方法は、主に、ヒト病原体結合基として硫酸基を含む結合物質を有するセルロースを含む織物（この例ではレーヨン）を作製することに対してのみ例として開示するが、本開示を参照する当業者であれば理解するように、同様の織物および本発明による（スルホン酸基などの）他の結合物質を有する相当する織物を作り出すために他の方法を使用することもできる。
【００３８】
１つの実施形態では、方法は、最初に１つまたは複数のヒト病原体の伝染を低減するための織物に使用するのに適した繊維を提供するステップを含む。１つの実施形態では、織物はセルロースを含む。好ましい実施形態では、織物は（セルロースの形態の）レーヨンを含む。商業的な目的のセルロース繊維の最も重要な供給源は、木材パルプであるが、木材パルプから直接得られるセルロース繊維は、本発明による織物に織り込むには短すぎて粗すぎ、木材パルプ由来のセルロースは、相対的に有機溶媒には不溶性であり、細繊維に押出成形することはできない。その反対に、レーヨン繊維は、木材パルプおよび他の植物由来の自然発生するセルロースポリマーから作り出される。レーヨン繊維を形成するために、セルロースは、本開示を参照する当業者であれば理解するように、最初に（たとえば酢酸塩などの）可溶化基で誘導体化され、紡糸繊維に形成され、次いで可溶化基が取り除かれて、織物に織られ得るセルロース繊維が生じる。
【００３９】
次に、方法は、１つまたは複数の結合物質を繊維に付加するステップを含む。結合物質の繊維への付加は、本開示を参照する当業者であれば理解するように、当業者に知られている技術を用いて達成することができる。好ましい実施形態では、付加される結合物質は、本発明による結合物質である。例として、方法は、硫酸基を含むヒト病原体結合基を含み、それによって硫酸化セルロース繊維を生じさせる結合物質に対して開示される。この実施形態では、１つまたは複数の結合物質を繊維に付加することにより、織物の構造または強度を崩壊させることなく、織物においてセルロース由来の繊維の硫酸化がもたらされる。さらに、これらのステップは、硫酸基を（レーヨンなどの）セルロース繊維に共有結合で結び付けることに対して開示されているが、本開示を参照する当業者であれば理解するように、硫酸基を他のセルロース織物、（たとえばポリエステルまたはポリオレフィンから作製された繊維などの）セルロース由来および非セルロース由来の繊維の混合物、および遊離ヒドロキシルまたはアミノ基を含む非セルロース由来の繊維に付加するために同等のステップを使用することができる。
【００４０】
セルロースは、その各々が３個の遊離ヒドロキシル基を有するグルコース単位の線状ポリマーである。セルロースの硫酸化度（ＤＳ）は、１単糖あたりの硫酸基の平均個数として当技術分野で定義されている。ＤＳ３が最大限であり、すべての利用可能なヒドロキシル基が完全に硫酸化されていることを示唆している。硫酸化度１は、１グルコース単位あたり平均１個の硫酸基が存在していることを示唆しており、ＤＳ０．１は、たとえば１０グルコース単位ごとに平均１個のヒドロキシル基が硫酸化されていることを示唆している。本発明の重要な態様は、本発明による繊維または織物へのウイルスおよび他のヒト病原体の結合が、ヒト病原体を繊維または織物上で２つ以上の固定化された硫酸基またはスルホン酸基に結合させ、それによって結合物質とヒト病原体の間の相互作用の親和性を強く増大させることを伴うことである。
【００４１】
硫酸化度は、たとえば元素分析などによって硫酸塩、スルホン酸塩、または全硫黄を測定する任意の適した分析的方法によって決定される。結合物質が付着されていないセルロース繊維、または非色素化されていないセルロース繊維または織物の硫黄成分は、極めて少ないか検出不能である。本発明の１つの実施形態によれば、本発明の方法は、０．０２と２の間の硫酸化度をもたらす。本発明の好ましい実施形態では、本発明の方法は、０．０５と０．５の間の硫酸化度をもたらす。特定の好ましい実施形態では、本発明の方法は、０．０９と０．２１の間の硫酸化度をもたらす。硫酸化またはスルホン化繊維または織物の硫酸化度は、必要とされる硫酸化度を有する繊維を作り出すために、本開示を参照する当業者であれば理解するように、硫酸化またはスルホン化反応における時間、温度または試薬濃度を調整することによって調節することができる。
【００４２】
セルロース織物の硫酸化度が０．２を超えて増大すると、液体水または水蒸気に晒されたときに繊維の水溶性が増し、それによって織物がハイドロゲルを形成し、織物を通る通気性を低減させる。こうした可溶化の傾向は、相対的に空気の通過を妨げないことが要求される顔マスクに使用される織物には受け入れられない。したがって、本発明の１つの実施形態では、方法は、さらに、織物の繊維を互いに化学的に結び付けて可溶化を防止する１つまたは複数の架橋剤を用いて織物を処理することによって、結合物質を付着する前またはその後に織物の繊維を架橋するステップを含む。１つの実施形態では、織物を架橋剤で処理するステップは、織物をたとえば水酸化ナトリウムなどのアルカリと接触させて、セルロース織物の場合はアルカリ化されたセルロースを与え、次いで、その織物を架橋剤で反応させるステップを含む。１つの実施形態では、架橋剤は、ジクロロアルカン、ジメチロール尿素、ホルムアルデヒドおよびトリメチロールメラミンからなる群より選択される。好ましい実施形態では、架橋剤は、ジエチレングリコールジグリシジルエーテル、エチレングリコールジグリシジルエーテル、エピクロルヒドリン、グリセリンジグリシジルエーテルおよびビニルシクロヘキセンジオキシドからなる群より選択されるエポキシ化合物である。
【００４３】
硫酸ヒト病原体結合基を含む１つまたは複数の結合物質を繊維に付加することは、たとえば最初に織物を、たとえばジメチルスルホキシド（ＤＭＳＯ）またはジメチルホルムアミド（ＤＭＦ）などの適した溶媒に接触させることによって達成することができる。織物を溶媒に接触させる時間は、本開示を参照する当業者であれば理解するように、繊維の膨張を最適化し、それによって繊維表面上のヒドロキシル基の硫酸化への暴露を増大させるように調整される。
【００４４】
次に、溶媒で処理した織物を、たとえば硫化試薬などの結合物質と接触させる。適した硫化試薬は、本開示を参照する当業者であれば理解するように、使用する溶媒によって決まる。たとえば、１つの実施形態では、溶媒はジメチルスルホキサイドであり、硫化試薬は、三酸化硫黄（ＤＭＳＯ−ＳＯ３）で処理されたＤＭＳＯである。別の実施形態では、溶媒はジメチルホルムアミドであり、硫化試薬は、三酸化硫黄（ＤＭＦ−ＳＯ３）で処理されたジメチルホルムアミドである。結合物質との接触は、結合物質と繊維の共有結合が満足のいく程度に達するまで、ただし過剰な結合物質が繊維に結合する前まで維持され、本開示を参照する当業者であれば理解するように、過剰な結合物質が繊維に結合すると、硫酸の場合は織物が液体水または水蒸気との接触時に非通気性になるはずである。
【００４５】
１つの実施形態では、方法は、さらに、織物を、たとえば（ＤＭＳＯ−ＳＯ３）および（ＤＭＦ−ＳＯ３）などの溶媒ですすぎ、次いでたとえば水酸化ナトリウム、酢酸ナトリウム、または重炭酸ナトリウムなどの適した塩基と接触させて酸性の硫化剤などの酸性の結合物質を中和する、あるいは結合物質を織物に付加する間に形成された酸を中和するステップを含む。
【００４６】
次いで、織物を、たとえば水または単純アルコール（エタノールまたはイソプロパノール）などの適した溶媒で洗浄して未反応の試薬を取り除き、ヒト気道感染症を引き起こすウイルスを含めた１つまたは複数のヒト病原体の伝染を低減するのに使用されるのに適した硫酸化織物を生じさせる。
【００４７】
別の実施形態では、１つまたは複数のヒト病原体の伝染を低減するのに使用される織物を作製するための本発明の方法は、最初、セルロースパルプまたはセルロース粉末から作製された、０．２を上回る硫酸化度、好ましくは繊維を水溶性にするのに十分である０．５を上回る硫酸化度を有する硫酸セルロース材料を提供するステップを含む。次に、可溶性の硫酸セルロースを次いで織物に施与し、上記で開示し、本開示を参照する当業者であれば理解するように、架橋剤を用いて織物の繊維に共有結合でつなげる。方法のこの実施形態では、織物は、比較的厳しい硫酸化条件および試薬には晒されず、可溶性の硫酸セルロースおよび架橋試薬、ならびに架橋結合の条件だけに晒されるため、硫酸化反応が良好に制御されない場合に起こり得る織物に対する損傷の可能性は減少する。可溶性の硫酸セルロースの濃度は、本開示を参照する当業者であれば理解するように、特に織物が本発明によるマスクに使用されるとき、顔マスクを通るガス交換に適した受け入れ可能な圧力降下特徴を有する織物が得られるように試験によって選択される。
【００４８】
本発明の１つの実施形態では、方法は、さらに、織物をヒト病原性に必須のヒト病原体特徴を化学的に崩壊させる１つまたは複数の物質に接触させるステップを含む。好ましい実施形態では、１つまたは複数の物質は、そのすべてが殺ウイルス性、殺菌性、および抗菌性である、たとえば多価の銅、多価の銀、または多価の亜鉛などの多価の金属イオンである。別の実施形態では、１つまたは複数の物質は、そのすべてが殺菌性、殺ウイルス性、および抗菌性である、たとえば酸化銅、酢酸亜鉛、酢酸銅、または硫酸銅などの金属塩である。好ましい実施形態では、金属塩は二価の金属塩である。酢酸塩は、揮発性であり、蒸発によって織物から取り除くことができるので陰イオン塩構成物質として有利であるが、塩化物、酸化物、ヨウ化物および他のものを含めた他の陰イオンもまた、塩構成物質として適している。１つまたは複数の物質の織物への付加は、ヒト病原体の織物への結合に加えて機構を使用することにより、１つまたは複数のヒト病原体の伝染を低減することにおいて本発明の顔マスクの効果性を増大させる。
【００４９】
本発明の１つの実施形態では、方法は、さらに、結合物質を含む繊維以外の、たとえばポリエステル繊維またはポリプロピレン繊維などの１つまたは複数の種類の繊維を織物内に組み込むステップを含む。
【００５０】
別の実施形態では、ステープルまたはトウの形態のセルロース繊維は、本開示で開示されたように織物に対して使用される同じ種類の硫酸化反応によって硫酸化され、次いでこの硫酸セルロース繊維は洗浄され、その後セルロースステープルまたはトウを糸に紡糸する従来の方法によって不織布または織布に形成される、あるいは直接不織布に形成される。
【００５１】
次に、１つまたは複数のヒト病原体の伝染を低減するのに使用される織物を作製するための本発明の方法を以下の実施例に対して開示する。
【実施例１】
【００５２】
硫酸化レーヨン織物の調製
本発明の１つの実施形態によれば、硫酸化レーヨンを本発明によって次のように調製した。最初、６０ｍｌイソプロパノールを氷上で冷し、ＭｇＳＯ４  ０．２グラムをイソプロパノールに加えて水を取り除いた。次に、事前に氷上で冷した硫酸２４０ｍｌをイソプロパノールに加えた。次いで、７０グラム／平方メートルの密度を有する不織布のレーヨン織物を１７．５ｃｍ×２２．５ｃｍの長方形に切断し、ほぼ同じサイズのポリプロピレンメッシュ上に載せた。次に、メッシュ上のレーヨン織物を冷した酢酸に１５分間浸した。次いで、イソプロパノール／硫酸混合物を氷上に静置しているポリエチレンの箱（約３０ｃｍ×３７．５ｃｍ）に注いだ。次に、ポリエチレンメッシュ上のレーヨン織物をイソプロパノール／硫酸混合物に５分間または１０分間浸し、最初に低温のイソプロパノールで、次いで１００ｍｌあたり酢酸ナトリウム３グラムを含有する低温のイソプロパノールで、その後低温のイソプロパノールですすいで硫酸化レーヨン織物を作り出した。次に、このレーヨン織物を次いでポリエチレンメッシュ上にあるままで乾燥させた。硫酸化レーヨン織物のサンプルを、硫黄および炭素成分に対して分析した。すすぎ前の５分の反応時間は、約０．１の硫酸化度（ＤＳ）を生じさせることが見出され、一方ですすぎ前の１０分の反応時間は、約０．２の硫酸化度（ＤＳ）を生じさせることが見出された。
【実施例２】
【００５３】
スルホン化レーヨン織物の調製
本発明の１つの実施形態によれば、スルホン化レーヨン織物を本発明によって次のように調製した。最初、硫酸ナトリウム３０グラムを蒸留水６００グラムに加え、続いてＣＩ反応性青２１染料（スルホン化結合物質）４グラムを加えて溶液を調製した。次に、７０グラム／平方メートルの密度を有する不織布のレーヨン織物３０グラムをこの溶液に加え、均一に浸り湿潤するまで静かに旋回させた。次いで、炭酸ナトリウム１２グラムをかき混ぜながら加え、この混合物を３５分間３０℃に保った。次に、温度をさらに６０分間で７００Ｃまで上昇させて、（結合物質としてＣＩ反応性青２１染料を用いた）スルホン化レーヨン織物を生じさせた。次いで、このスルホン化レーヨン織物を、遊離染料が溶出しなくなるまで流水ですすぎ、スルホン化レーヨン織物を空気乾燥させた。
【実施例３】
【００５４】
１つまたは複数のヒト病原体の病原体能力を破壊する１つまたは複数の物質を含む織物の調製
本発明の１つの実施形態によれば、実施例１によって作製された硫酸化セルロース織物または実施例２によって作製されたスルホン化セルロース織物を、１つまたは複数のヒト病原体の病原体能力を破壊する、結合物質以外の１つまたは複数の追加の物質を含むように次のように調製した。最初、硫酸化レーヨン織物を実施例１に開示したプロセスによって作製し、あるいは（結合物質としてＣＩ反応性青２１染料を用いた）スルホン化レーヨン織物を実施例２に開示したプロセスによって作製した。次いで、いずれも二価の金属塩である硫酸銅および酢酸亜鉛を、金属塩１グラム／水１００ミリリットルの濃度を用いて、４０μｌ／ｃｍ２織物でエアロゾルによって織物に施与した。次いで、追加の物質を含む織物を空気乾燥させ、二価の銅および二価の亜鉛イオンの両方を含む硫酸化レーヨン織物または二価の銅および二価の亜鉛イオンの両方を含むスルホン化レーヨン織物を生じさせた。
【実施例４】
【００５５】
二価の金属塩を含むスルホン化レーヨン織物の調製のための工業プロセス
本発明の１つの実施形態によれば、（結合物質としてＣＩ反応性青２１染料を用い）、二価の金属塩を含むスルホン化レーヨン織物を、本発明によって次のように調製した。最初、７０グラム／平方メートルの密度を有する１００％スパンレースビスコースレーヨン織物を、ＣＩ反応性青２１（Ｎｏｖａｃｒｏｎ（登録商標）Ｔｕｒｑｕｏｉｓｅ  Ｈ−ＧＮ）を用いて２０：１の液体対個体比で染色した。次に、硫酸ナトリウム５０ｇ／Ｌ、炭酸ナトリウム２０ｇ／Ｌ、および１２％の染料含有量（１２０ｍｌ／Ｌ）を染浴に加え、連続撹拌で完全に混合した。次いで、レーヨン織物を染浴内に３５分間３００Ｃの温度で漬け、続いて６０分間で７０°の温度にして（結合物質としてＣＩ反応性青２１染料を用いた）スルホン化レーヨン織物を作り出した。次に、スルホン化レーヨン織物を流水ですすぎ、空気乾燥させた。次いで、水１リットルあたり酢酸銅および酢酸亜鉛それぞれ５０ｇグラムを、スルホン化レーヨン上に０．０８Ｌ／ｍ２の割合で噴霧して、二価の銅および二価の亜鉛イオンの両方を含むスルホン化レーヨン織物を作り出した。二価の銅および二価の亜鉛イオンの両方を含むスルホン化レーヨン織物を、再度空気乾燥させた。
【実施例５】
【００５６】
抗ヒト病原体特性に対する織物の評価
標準的な量のウイルスを１枚の試験用織物上に施与することによって、織物の抗ウイルス特性（抗ヒト病原体特性の代用として）の試験を行う。次いで、試験用織物を細胞培地中でかき混ぜてすべての機能するウイルス粒子、すなわち織物に対する接着によって、あるいは試験用織物に対する別の方法によって不活性化されないウイルス粒子を溶出する。細胞培地中に溶出された機能するウイルス粒子を、ウイルス致死になりやすい細胞に培地を接触させ、細胞死の定量的読み出しを確認することによってウイルスの活性に対して検査する。溶出培地中の細胞死の低減は、織物へのウイルス接着による試験用織物によって、または別の方法による試験用織物によって、ウイルスの不活性化が増大したことを示唆している。
【００５７】
本発明の１つの実施形態によれば、実施例１によって作製された０．２の硫酸化度（ＤＳ）を有する硫酸レーヨン織物、実施例２によって作製された（結合物質としてＣＩ反応性青２１染料を用いた）スルホン化レーヨン織物および実施例３によって作製された硫酸銅および酢酸亜鉛の両方を含む（結合物質としてＣＩ反応性青２１染料を用いた）スルホン化レーヨン織物を、抗ウイルス特性に対して検査した。最初、硫酸レーヨン織物、（結合物質としてＣＩ反応性青２１染料を用いた）スルホン化レーヨン織物、および（結合物質としてＣＩ反応性青２１染料を用い）、硫酸銅および酢酸亜鉛の両方を含むスルホン化レーヨン織物の試験用サンプルを、ヒト病原体単純ヘルペスウイルス（ＨＳＶ）を非活性化する織物の能力を検査するためにＭｉｃｒｏｂｉｏｔｅｓｔ、Ｉｎｃ．社（米国、バージニア州、スターリング）に提出した。ＨＳＶをエアロゾルで試験用織物の５ｃｍ×５ｃｍの面積、ならびにレーヨン制御織物の非硫酸、非スルホン化の部片および硫酸銅および酢酸亜鉛のみで処理されたレーヨン織物の部片に施与した（水１００ｍｌあたりそれぞれ１グラム、１平方センチメートルあたり４０マイクロリットルで施与した）。ＨＳＶ処理した織物サンプルを１分間保ち、次いで抽出培地の個々の２０ｍｌアリコート内に置き、静かな撹拌に５分間かけた。抽出サンプルのアリコートを希釈培地中で連続的に１０倍に希釈し、宿主細胞上に接種した。各々のサンプルからの抽出培地中の残留した感染性ウイルスを検出し、そのウイルスにより誘導された細胞変性効果によって定量化した。
【００５８】
表１
抗ウイルス特性に対する織物の検査結果
0005587187.tif 000002
【００５９】
図に示すように、実施例１によって調製された硫酸化レーヨン織物は、非硫酸化、非スルホン化レーヨン制御織物に比べ、病原体ウイルスにおいて１．８７の対数減少を有した。硫酸銅および酢酸亜鉛を非硫酸化、非スルホン化レーヨン制御織物内に組み込むことにより、非硫酸化、非スルホン化レーヨン制御織物に比べ、病原体ウイルスにおいて２．０の対数減少を生じさせ、このとき病原体ウイルスの減少は二価の塩単独の存在に起因した。実施例２によって調製された（結合物質としてＣＩ反応性青２１染料を用いた）スルホン化レーヨン織物は、非硫酸化レーヨン制御織物に比べ、病原体ウイルスにおいて０．３７の対数減少を有した。
【００６０】
この検査システムにおける検出の下限は３．１３対数であったため、（結合物質としてＣＩ反応性青２１染料を用い）、硫酸銅および酢酸亜鉛で処理されたスルホン化レーヨン織物に対するＨＳＶ力価における最低減少は、４．４７対数であった。したがって、二価の金属イオンを組み込む非硫酸化、非スルホン化レーヨン織物と対比させて、最低２．４７対数のさらなるウイルス不活性化または閉じ込めが、スルホン化および同じ量の二価の金属イオンによって達成された。これらの結果は、織物のスルホン化と二価の金属塩の織物への組み込みとの間の抗ヒト病原体の活性に対する予期せぬ相乗効果を証明した。
【００６１】
本発明の１つの実施形態によれば、実施例１によって作製された０．１または０．２の硫酸化度（ＤＳ）を有する硫酸化レーヨン織物、実施例４によって作製された０．２の硫酸化度（ＤＳ）を有し、二価の金属塩の硫酸銅および酢酸亜鉛を含む硫酸化レーヨン織物、実施例２によって作製された（結合物質としてＣＩ反応性青２１染料を用いた）スルホン化レーヨン織物、および実施例３によって作製された（結合物質としてＣＩ反応性青２１染料を用い）、二価の金属塩の硫酸銅および酢酸亜鉛を含むスルホン化レーヨン織物、ならびに非硫酸化、非スルホン化レーヨン制御織物、および二価の金属塩の硫酸銅および酢酸亜鉛を含むレーヨン織物を、それらの抗ウイルス特性に対して検査した。インフルエンザＡ型ウイルスの４．７０対数をエアロゾルで試験用織物の５ｃｍ×５ｃｍの面積に施与し、施与されたインフルエンザＡ型ウイルスを有するこの試験用織物の各々の３つのサンプルを、ウイルス施与後１分、５分または１５分間静置し、次いで抽出培地の個々の２０ｍｌアリコート内に置き、静かな撹拌に５分間かけた。抽出バッファの連続希釈を孵化卵に施し、胚期の生存能力およびそのような卵からの尿膜腔液の赤血球凝集素検査による病原体インフルエンザＡ型ウイルスの力価を検査した。
【００６２】
試験の結果は、実施例１によって作製され、０．１または０．２の硫酸化度（ＤＳ）を有する硫酸化レーヨン織物は、試験された時間点（１分、５分および１５分）の各々においていずれも検出可能な病原性ウイルスを生じさせず、織物に施与されたウイルス量に比べ、試験の時間点の各々において３を上回るインフルエンザウイルスの対数減少を示唆した。同様に、０．２の硫酸化度（ＤＳ）を有し、二価の金属塩の硫酸銅および酢酸亜鉛を含む実施例１によって作製された硫酸化レーヨン織物もまた、試験された時間点（１分、５分および１５分）の各々において検出可能な病原性ウイルスを生じさせず、織物に施与されたウイルス量に比べ、試験された時間点の各々において３を上回るインフルエンザウイルスの対数減少を示唆した。
【００６３】
実施例２によって作製された（結合物質としてＣＩ反応性青２１染料を用いた）スルホン化レーヨン織物は、１分の試験時間で１．９５、５分の試験時間で２．３３、１５分の試験時間で３．０８の対数減少でインフルエンザＡウイルスが減少した。実施例３によって作製された、（結合物質としてＣＩ反応性青２１染料を用い）、二価の金属塩の硫酸銅および酢酸亜鉛を含むスルホン化レーヨン織物は、試験された時間点（１、５および１５分）の各々において検出可能な病原性ウイルスを生じさせず、試験された時間点の各々において３を上回るインフルエンザウイルスの対数減少を示唆した。
【００６４】
本発明の別の実施形態によれば、たとえばヒト気道感染症を引き起こす１つまたは複数のウイルスなどの１つまたは複数のヒト病原体の伝染を低減するのに使用される装置が提供される。１つの実施形態では、装置は、たとえばヒト気道感染症を引き起こす１つまたは複数の種類のウイルスなどの１つまたは複数のヒト病原体に結合する本発明による１つまたは複数の結合物質を含む織物を備える。好ましい実施形態では、装置は、本発明による織物を備える。１つの実施形態では、装置は、たとえば吸収性ティッシュ、エプロン、手袋またはスカーフ、靴下および靴の中敷きなどの衣類、たとえばシーツまたは毛布などの寝具、化粧パッド、おしめ、体のあらゆる表面またはあらゆる部分に接着剤によって取り付けられる乾燥消毒パッチ、生理用ナプキン、便座カバー、たとえばソファのカバリングなどの掛け布、拭き取り布、およびたとえばカーテンまたはシェードなどの窓おおいからなる群より選択される。好ましい実施形態では、装置は、たとえば飛行機および自動車などのモータビークルに使用されるもの、あるいはヒト病原体の伝染のリスクが存在するたとえば家、病院および事務所などの非可動の閉鎖空間などで使用されるものなどの空気フィルタである。
【００６５】
好ましい実施形態では、装置は、顔マスク着用者へのおよび着用者からの１つまたは複数のヒト病原体の伝染を低減するための顔マスクである。顔マスクは、顔マスクの着用者の口および鼻を覆うように構成され、顔マスクを着用者の頭部に固定するための１つまたは複数の延長部を備える面体を備える。
【００６６】
好ましい実施形態では、顔マスクの面体は、本発明による織物を備え、織物は、本発明による結合物質を含む。好ましい実施形態では、織物は、さらに、１つまたは複数のヒト病原体の病原体能力を低減する、結合物質以外の本発明による１つまたは複数の追加の物質を含む。好ましい実施形態では、１つまたは複数の追加の物質は、たとえば多価の銅、多価の銀および多価の亜鉛からなる群より選択される多価の金属イオンなどの多価の金属イオンである。別の実施形態では、１つまたは複数の物質は、たとえば酢酸銅、酸化銅、硫酸銅および酢酸亜鉛からなる群より選択される金属塩などの金属塩である。特定の好ましい実施形態では、金属塩は二価の塩である。
【００６７】
次に図３〜図８を参照すると、本発明の１つの実施形態による顔マスクの前面斜視図（図３）、図３に示す顔マスクの裏面斜視図（図４）、本発明の別の実施形態による顔マスクの前面斜視図（図５）、および図５に示す顔マスクの裏面斜視図（図６）、本発明の別の実施形態による顔マスクの前面斜視図（図７）および図７に示す顔マスクの裏面斜視図（図８）をそれぞれ示している。図に示すように、顔マスク１８は、面体２０と、顔マスク１８を着用者の頭部に固定するために面体２０に接合された１つまたは複数の延長部２２とを備える。面体２０は、前面２４と、裏面２６と、前面２４および裏面２６の周りの周囲２８とを備え、面体２０は、着用者の頭部の下側部分と嵌合するように構成された形態を含むことによって顔マスク１８の着用者の口および鼻を覆うように構成される。
【００６８】
次に図３および図４を参照すると、本発明の１つの実施形態による顔マスクの前面斜視図（図３）、および図３に示す顔マスクの裏面斜視図（図４）をそれぞれ示している。図に示すように、この実施形態では、前面から見ると、面体２０の周囲２８は、半円の下側半分３０を備え、さらに、着用者の鼻孔上方と鼻柱上とに延びるように構成された、中央の鼻柱延長部３４を有する半円の上側半分３２を備える。顔マスク１８のこの実施形態では、面体２０は、顔マスク１８の着用者の顔の曲線への近似度を高めるために、前面２４に向かって凸状に形作られる。
【００６９】
次に図５および図６を参照すると、本発明の別の実施形態による顔マスクの前面斜視図（図５）、および図５に示す顔マスクの裏面斜視図（図６）をそれぞれ示している。図に示すように、前面から見ると、この実施形態では、面体２０の周囲２８は、ほぼ半円の下側半分３０を備え、かつ横方向の２つの頬延長部３６と、２つの頬延長部３６の間に中央鼻柱延長部３４とを有する上側半分３２を備える。本開示を参照する当業者であれば理解するように、頬延長部３６は、顔マスク１８の着用者の頬の両側に適合するように構成され、鼻柱延長部３４は、着用者の鼻孔上方と鼻柱上とに延びるように構成される。顔マスク１８のこの実施形態では、面体２０は、前面２４に向かって凸状であることにより、顔マスク１８の着用者の顔の曲線に対する近似度が向上している。
【００７０】
次に図７および図８を参照すると、本発明の１つの実施形態による顔マスクの前面斜視図（図７）、および図７に示す顔マスクの裏面斜視図（図８）をそれぞれ示している。図に示すように、この実施形態では、面体２０の周囲２８は、上縁３８と、底縁４０と、上縁３８を底縁４０に連結する２つの横縁４２、４４とを備える。面体２０は、さらに、一方の横縁４２から他方の横縁４２まで延びる複数のひだ４６を備え、このひだ４６が面体２０の中央を拡張させて面体２０の前面２４に向かう凸形状を形成することにより、顔マスク１８の着用者の顔の曲線にさらに近づくことができる。
【００７１】
１つの実施形態では、面体２０は、本発明による結合物質を含む織物を備える。好ましい実施形態では、面体は、結合物質および１つまたは複数の二価の金属イオンを含む織物を備える。好ましい実施形態では、面体は、本発明による複数の層を含む材料を含む。特定の好ましい実施形態では、面体は、３つの層を含む本発明による材料を含み、３つの層の１つまたは複数は、本発明による織物であり、層のうち１つまたは複数は、ポリプロピレン、ポリエステルまたは不織布の酢酸セルロース織物からなる群より選択される熱成形型織物などの熱成形型織物である。好ましい実施形態では、熱成形型織物は、ポリプロピレンウェビングを含む。
【００７２】
顔マスク１８は、さらに、顔マスク１８を着用者の頭部に固定するために面体２０に接合された１つまたは複数の延長部２２を備える。１つの実施形態では、１つまたは複数の延長部２２は、図３に見られるようにストラップであり、あるいは図５および図７に見られるように耳ループである。ストラップは弾性でも非弾性でもよい。１つの実施形態では、１つまたは複数の延長部２２は、顔マスク１８の着用者の顔への取り付けを可能にする一続きの接着ストリップである。
【００７３】
別の好ましい実施形態では、装置は、本発明による織物を備える取り外し可能および交換可能なフィルタを備える顔マスクである。次に図９および図１０を参照すると、本発明による取り外し可能なフィルタを備える顔マスクの２つの実施形態の前面斜視図が存在する。図に示すように、図９に示すような１つの実施形態では、顔マスク１８は、面体２０と、複数の延長部２２とを備え、さらにフィルタを保持するための機構４８と、フィルタ５０とを備える。図９に示す実施形態では、機構４８は、２つの部分が相互連結する枠であり、顔マスク１８の枠の２つの部分の間に取り付けられるフィルタの取り外し可能な配置を可能にする。別の実施形態では、図１０に示すように、顔マスク１８は、ガスマスク５２と、複数の延長部２２とを備え、さらにフィルタを保持するための機構４８と、フィルタ５０とを備える。好ましい実施形態では、フィルタは、本発明による織物を備える。別の好ましい実施形態では、フィルタは、複数の層を含む本発明による材料を含む。
【００７４】
本発明の別の実施形態によれば、ヒト気道感染症を引き起こすウイルスを含めた、１つまたは複数のヒト病原体の伝染を低減するのに使用される装置を作製するための方法が提供される。１つの実施形態では、方法は、本発明による装置を作り出す。別の実施形態では、方法は、たとえば吸収性ティッシュ、エプロン、手袋またはスカーフ、靴下、および靴の中敷きなどの衣類、たとえばシーツまたは毛布などの寝具、化粧パッド、おしめ、体のあらゆる表面またはあらゆる部分に接着剤によって取り付けられる乾燥消毒パッチ、生理用ナプキン、便座カバー、たとえばソファのカバリングなどの掛け布、拭き取り布、およびたとえばカーテンまたはシェードなどの窓おおいからなる群より選択される装置を作り出す。
【００７５】
好ましい実施形態では、本方法によって作り出された装置は、本発明による、顔マスク着用者へのおよび着用者からの１つまたは複数のヒト病原体の伝染を低減するのに使用される顔マスクである。顔マスクは、面体と、顔マスクを着用者の頭部に固定するために面体に取り付けられた１つまたは複数の延長部とを備える。好ましい実施形態では、本方法によって作り出された装置は、本発明による織物を備えた取り外し可能なフィルタを備える顔マスクである。別の好ましい実施形態では、本方法によって作り出された装置は、たとえば（たとえば呼吸マスクまたはガスマスクなどの）既存の顔マスクまたは呼吸装置に取り付けることができる織物の層などの、顔マスクまたは呼吸装置用のカバリングであり、このカバリングは、着用者がカバリングを通して呼吸するとき、顔マスクまたは呼吸装置の着用者へのおよび着用者からの１つまたは複数のヒト病原体の伝染を低減することによって顔マスクまたは呼吸装置の着用者の安全性を向上させる。
【００７６】
別の好ましい実施形態では、本方法によって作り出された装置は、たとえば飛行機および自動車などのモータビークルに使用されるもの、あるいはヒト病原体の伝染のリスクが存在する、たとえば家、病院、および事務所などの非可動の閉鎖空間などで使用されるものなどの空気フィルタである。方法は、本発明によって作製された織物を提供するステップと、この織物を装置内に組み込むステップとを含む。
【００７７】
１つの実施形態では、方法は、結合物質を含む織物を１つまたは複数の熱成形型織物で封入するまたは取り囲むステップを含む。そのような熱成形型織物は、顔マスクの加熱または超音波溶接によってマスクの成形を可能にする。
【００７８】
１つの実施形態では、方法は、最初に本発明による織物を提供するステップを含み、織物は、本発明による結合物質を含む。好ましい実施形態では、織物は、さらに、１つまたは複数のヒト病原体の病原体能力を低減する、結合物質以外の本発明による１つまたは複数の追加の物質を含む。好ましい実施形態では、１つまたは複数の追加の物質は、たとえば多価の銅、多価の銀または多価の亜鉛などの多価の金属イオンである。別の実施形態では、１つまたは複数の物質は、たとえば酸化銅、酢酸亜鉛、酢酸銅または硫酸銅などの金属塩である。特定の好ましい実施形態では、金属塩は、二価の金属塩である。
【００７９】
１つの実施形態では、織物は、顔マスクの形状に合わせて切断および形成され、顔マスクには１つまたは複数の延長部が取り付けられる。
【００８０】
別の実施形態では、顔マスクの面体は複数の層を含み、層のうち１つまたは複数は、結合物質を含む本発明による織物を備え、層のうち１つまたは複数は、たとえばポリプロピレン、ポリエステルまたは酢酸セルロース不織布などの熱成形型織物である。特定の好ましい実施形態では、複数の層は３つの層である。別の特定の好ましい実施形態では、複数の層は４つの層である。面体が複数の層を含むとき、方法は、顔マスクの面体の１つまたは複数の層を形成するための織物を提供するステップを含む。１つの実施形態では、織物または材料、または織物および材料の両方が、第１のサイズのロール上に提供され、このロールは、顔マスクを作製するのに適したサイズに合わせて切断される。
【００８１】
次いで、織物および１つまたは複数の層材料は、面体の層の順に組み立てられ、互いに接合される。１つの実施形態では、織物および材料の１つまたは複数の層は、超音波溶接によって接合される。好ましい実施形態では、織物および材料の１つまたは複数の層は、超音波溶接および圧力の印加によって接合される。１つの実施形態では、顔マスクは周囲を備え、織物および材料の１つまたは複数の層は、その周囲に沿って超音波溶接によって接合される。１つの実施形態では、方法は、さらに、顔マスクを文字または絵、または文字および絵の両方で標識するステップを含む。
【００８２】
次に、方法は、面体を成形するステップを含む。１つの実施形態では、面体を成形するステップは、織物および存在する場合は材料の１つまたは複数の層を面体の形状になるように切断するステップを含む。
【００８３】
１つの実施形態では、方法は、さらに、面体の３次元構造を変更するために面体の２つまたはそれ以上の継ぎ目を接合するステップを含む。１つの実施形態では、接合するステップは、面体を溶接する、あるいは面体に接着剤を施与するステップを含む。
【００８４】
次いで、方法は、顔マスクを創出するために１つまたは複数の延長部を面体に取り付けるステップを含む。
【００８５】
本発明の別の実施形態によれば、１つまたは複数のヒト病原体の伝染を低減する方法が提供される。１つの実施形態では、方法は、本発明による顔マスクを提供するステップと、顔マスクを着用するステップとを含む。
【００８６】
特定の好ましい実施形態を参照して本発明をかなり詳細に論じてきたが、他の実施形態も可能である。したがって、付属の特許請求の範囲の範囲は、本開示に包含された好ましい実施形態の説明に限定されてはならない。
【図１】
0005587187.tif 000003
【図２】
0005587187.tif 000004
【図３】
0005587187.tif 000005
【図４】
0005587187.tif 000006
【図５】
0005587187.tif 000007
【図６】
0005587187.tif 000008
【図７】
0005587187.tif 000009
【図８】
0005587187.tif 000010
【図９】
0005587187.tif 000011
【図１０】
0005587187.tif 000012